(57)【特許請求の範囲】
【請求項１】
底部１１と、該底部１１から立ち上がり側壁を形成する側壁部２１、側壁部３１、側壁部４１及び側壁部５１と、前記側壁部２１から延在する上面部２７と、該上面部２７から延在する押え片２９と、前記側壁部２１から壁方向の両側へ延在するフラップ２３Ａ及び２３Ｂと、前記フラップ２３Ａから延在するつまみ２５Ａと、前記フラップ２３Ｂから延在するつまみ２５Ｂと、前記側壁部３１から延在するダストフラップ３７と、前記側壁部３１から壁方向の両側へ延在するフラップ３３Ａ及び３３Ｂと、前記フラップ３３Ａから延在するつまみ３５Ａと、前記フラップ３３Ｂから延在するつまみ３５Ｂと、前記側壁部４１から延在するダストフラップ４３と、前記側壁部５１から延在するダストフラップ５３とからなり、前記ダストフラップ３７、前記ダストフラップ４３及び前記ダストフラップ５３を内側に折り、前記ダストフラップ４３及び前記ダストフラップ５３の１部へ接着剤を塗布し、前記上面部２７と接着した化粧函において、
前記フラップ２３Ａ、２３Ｂ、３３Ａ及び３３Ｂへ接着剤を塗布する際に、該接着剤をそれぞれのつまみ方向へ長く塗布しておき、該接着剤により前記側壁部４１又は前記側壁部５１へ接着させて函状とすることを特徴とする化粧函。
【発明の詳細な説明】
【技術分野】
【０００１】
本発明は、化粧函に関し、さらに詳しくは、手作りイメージ感、減容性、省資源及び環境対応型、及び／又は包装の自動化のための化粧函に関するものである。
【背景技術】
【０００２】
（主なる用途）本発明の化粧函の主なる用途としては、和洋菓子、海苔、お茶、玩具、生活雑貨等のギフトやお土産の函詰め商品などのものである。しかしながら、手作りイメージ感、減容性、省資源及び環境対応型、及び／又は包装の自動化などの、１又は複数を必要とする用途であれば、特に限定されるものではない。
【０００３】
（背景技術）従来、ギフトやお土産の函詰め商品については、買上げの際、予め折り畳んで形成しておいた化粧函に詰めたのち、包装紙で包み、その上で紐や接着テープで封をしてから、顧客に手渡していた。
そこで、化粧函は、（１）包装紙を使用しなくても、風呂敷を彷彿される形状で、手作り感、和風の丁寧感がり、包装紙を使っているように大切に包装されているというイメ―ジに優れていること、（２）廃棄やリサクル時には、容易に潰せ、畳み易く、減容性に優れていること、（３）身蓋別や化粧紙付きの複数パーツの化粧函ではないので、化粧函の保管時のスペースが少なく、店舗での組み立てる手間もなく、包装紙が不要なワンパーツの材料で、省資源及び環境対応型であること、（４）包装と封緘は手作業が普通で、極めて手間隙の掛かるので、包装の自動化ができること、などの課題が求められている。
【０００４】
（先行技術）従来、化粧紙と包装紙を兼用し、使用する紙を１枚減らすとともに、台紙と包装紙の折り畳みを実質的に一体かつ同時に行なうことができ、手間がかからずに素早く包装が可能な包装箱としては、１枚の台紙を折り畳み組み立てることによって形成される箱部と、この箱部を包むことのできる形状およびサイズを有する包装紙とを備え、前記包装紙は、前記箱部を包装するため、折り畳んだ際にそれ自体が重なり合う部分を少なくとも残して前記台紙に接着されており、前記箱部と包装紙の折り畳みを実質的に一体にかつ同時に行なうことのできる包装箱が知られている（例えば、特許文献１参照。）。
しかしながら、台紙と台紙に接着された包装紙との、実質的に２種の材料からなっているので、手間がかからずに素早く包装が可能で、手作りイメージ感はあるが、廃棄やリサクル時の減容性、包装紙付きの複数パーツの一体化材料で、省資源型でないという問題点があり、また、組み立ては手作業であり、包装の自動化については言及されていない。
【０００５】
【特許文献１】特開平０８−９１３６０号公報
【発明の開示】
【発明が解決しようとする課題】
【０００６】
そこで、本発明はこのような問題点を解消するためになされたものである。その目的は、手作りイメージ感を維持しつつ、減容性、省資源及び環境対応型、及び／又は包装の自動化可能な化粧函を提供することである。
【課題を解決するための手段】
【０００７】
上記の課題を解決するために、請求項１の発明に係わる化粧函は、底部１１と、該底部１１から立ち上がり側壁を形成する側壁部２１、側壁部３１、側壁部４１及び側壁部５１と、前記側壁部２１から延在する上面部２７と、該上面部２７から延在する押え片２９と、前記側壁部２１から壁方向の両側へ延在するフラップ２３Ａ及び２３Ｂと、前記フラップ２３Ａから延在するつまみ２５Ａと、前記フラップ２３Ｂから延在するつまみ２５Ｂと、前記側壁部３１から延在するダストフラップ３７と、前記側壁部３１から壁方向の両側へ延在するフラップ３３Ａ及び３３Ｂと、前記フラップ３３Ａから延在するつまみ３５Ａと、前記フラップ３３Ｂから延在するつまみ３５Ｂと、前記側壁部４１から延在するダストフラップ４３と、前記側壁部５１から延在するダストフラップ５３とからなり、前記ダストフラップ３７、前記ダストフラップ４３及びダストフラップ５３を内側に折り、前記ダストフラップ４３及びダストフラップ５３の１部へ接着剤を塗布し、前上面部２７と接着した化粧函において、
フラップ２３Ａ、２３Ｂ、３３Ａ及び３３Ｂへ接着剤を塗布する際に、該接着剤をそれぞれのつまみ方向へ長く塗布しておき、該接着剤により前記側壁部４１又は前記側壁部５１へ接着させて函状とするように、したものである。
【発明の効果】
【０００８】
本発明によれば、１つの材料ブランクから組立てることができ、包装紙を使用しなくても、風呂敷を彷彿される形状で、手作り感、和風の丁寧感がり、包装紙を使っているように大切に包装されているというイメ−ジに優れている化粧函が提供される。外側に包装紙がなくても隙間なく内容物を保護し、また該接着は破壊しないと開封できないので、改竄防止機能も発現できる化粧函であり、さらに包装紙が不要なワンパーツの材料で、省資源及び環境対応型である。また、保管時のスペースが少なく、店舗での組み立てる手間もなく、さらに、包装の自動化ができる化粧函が提供される。
【発明を実施するための最良の形態】
【０００９】
以下、本発明の実施形態について、図面を参照しながら、詳細に説明する。
図１は、本発明の１実施例による化粧函の展開図である。
図２は、上記実施例の化粧函の組み立てを説明するための斜視図である。
図３は、上記実施例の化粧函の組み立て完成状態を示す斜視図である。
図４は、上記実施例の化粧函のフラップと糊位置を示す平面図である。
【００１０】
（物の発明）本発明の化粧函１０は、図１に示すように、底部１１と、該底部１１から立ち上がり側壁を形成する側壁部２１、側壁部３１、側壁部４１及び側壁部５１と、前記側壁部２１から延在する上面部２７と、該上面部２７から延在する押え片２９と、前記側壁部２１から壁方向の両側へ延在するフラップ２３Ａ及び２３Ｂと、前記フラップ２３Ａから延在するつまみ２５Ａと、前記フラップ２３Ｂから延在するつまみ２５Ｂと、前記側壁部３１から延在するダストフラップ３７と、前記側壁部３１から壁方向の両側へ延在するフラップ３３Ａ及び３３Ｂと、前記フラップ３３Ａから延在するつまみ３５Ａと、前記フラップ３３Ｂから延在するつまみ３５Ｂと、前記側壁部４１から延在するダストフラップ４３と、前記側壁部５１から延在するダストフラップ５３と、からなる１つのブランクを函状としたものである。なお、化粧函のブランクを形成している各部、フラップ、ダストフラップ、つまみ片の間には、折り作業を容易にするための、押罫、折り癖、ミシン目、又は半切れミシン目などが付けられている。
【００１１】
ここで、本発明の化粧函１０では、図３に示すように、化粧函１０の上面からみて、上面部２７、ダストフラップ３７、ダストフラップ４３及びダストフラップ５３の少なくとも１部が見える状態に構成することで、あたかも包装紙で包装したように見える。なお、本明細書では上面部２７を含む面を上面として説明するが、必要に応じてどの面を上面に構成してもよい。
【００１２】
（ブランク材）化粧函に用いる材料としては紙基材を主とし、具体的には、賦型性、耐屈曲性、剛性等を持たせるものであり、例えば、強サイズ性の晒または未晒の紙基材、あるいは純白ロ−ル紙、クラフト紙、板紙、加工紙等の紙基材、その他等を使用することができる。また、該紙基材に、各種の樹脂のフィルム乃至シ−トなどを貼合したものを用いてもよい。上記の紙層を構成する紙基材としては、坪量約５０〜８００ｇ／ｍ2程度のもの、好ましくは、坪量８０〜６００ｇ／ｍ2のものを使用することが望ましい。
本発明の化粧函は、ブランク状では平面であり保管時のスペースが少なく、包装を自動化すれば店舗での組み立てる手間もなく、包装紙が不要なワンパーツの材料で、省資源及び環境対応型な化粧函とすることができる。
【００１３】
（変形形態）本発明は、次のように変形して実施することを含むものである。
（１）側壁部３１とダストフラップ３７との折り目部分の少なくとも１部へ、切込部を設けて、該切込部へ押え片２９を挿入できるようにしてよく、ように構成してもよく、開封後にリクローズすることができる。
（２）押え片２９は、粘着ラベルなどのラベル６０で留めたり、接着テープで留めたり、接着剤で留めたりするように構成してもよく、より手作り感のある封ができる。
（３）ダストフラップ４３及び／又はダストフラップ５３の少なくとも１部へ接着剤により、上面部２７及び／又はダストフラップ３７へ接着させるように構成してもよく、改竄しにくくすることができる。
（４）手作り感や、和風のイメージ感を強調したが、カットアウトの形状やグラフィックデザインによって洋風のイメージをつけるようにしてもよく、所望のイメージを表現することができる。
【実施例】
【００１４】
以下、実施例及び比較例により、本発明を更に詳細に説明するが、これに限定されるものではない。
【００１５】
（実施例１）図１は本発明の１実施例による化粧函の展開図であり、図２のように組み立てられ、ラベル又は接着剤で封して、図３の完成状態となる。
本発明の化粧函１０は図１に示すように、１つのブランクからなっており、底部１１と、該底部１１から立ち上がり側壁を形成する側壁部２１、側壁部３１、側壁部４１、及び側壁部５１と、前記側壁部２１から延在する上面部２７と、該上面部２７から延在する押え片２９と、側壁部２１から壁方向の両側へ延在するフラップ２３Ａ及び２３Ｂと、該フラップ２３Ａ及び２３Ｂから延在するつまみ２５Ａ及び２５Ｂと、側壁部３１から延在するダストフラップ３７と、側壁部３１から壁方向の両側へ延在するフラップ３３Ａ及び３３Ｂと、該フラップ３３Ａ及び３３Ｂから延在するつまみ３５Ａ及び３５Ｂと、側壁部４１から延在するダストフラップ４３と、側壁部５１から延在するダストフラップ５３と、からなっている。
【００１６】
本発明の化粧函は図２に示すように、底部１１から側壁部２１、側壁部３１、側壁部４１及び側壁部５１を立ち上げ、フラップ２３Ａ、２３Ｂ、３３Ａ及び３３Ｂへ接着剤を塗布し、該接着剤と側壁部４１又は側壁部５１へ接着させて、函状とする。該接着剤としては、特に限定されないが、各種材料への接着対応性、接着するまでの時間の早さから、ホットメルトが好ましい。
【００１７】
次に、図３に示すように、内容物を充填した後に、ダストフラップ３７、ダストフラップ４３及びダストフラップ５３を内側に折り、上面部２７を折り重ねて、さらに押え片２９を側壁部３１へ重ねて、粘着ラベル又は接着テープ剤で留めるか、接着剤で封すればよい。この際に、ダストフラップ４３及びダストフラップ５３を長めにとって、接着剤をスポット状に塗布し、上面部２７とを接着させることが、化粧函の材料を破壊しないと開封できないので、開封したことが明確に判るので、改竄防止性の点で好ましい。必要に応じて、ダストフラップ３７へも接着剤をスポット状に塗布し、ダストフラップ４３、ダストフラップ５３及び／又は上面部２７とを接着させてもよい。
【００１８】
本発明の化粧函の上面側からみて、図３に示すように、上面部２７、ダストフラップ３７、ダストフラップ４３及びダストフラップ５３の少なくとも１部が見える状態に構成する。上面部２７、ダストフラップ３７、ダストフラップ４３及びダストフラップ５３の上面側から見える形状は、それぞれが見えるように構成すれば、特に限定されないが、上面部２７と押え片２９の幅は、押え片２９側に向かって暫減させ、及び／又は左右対称となるように構成したり、上面部２７については全面が見えるように構成するのが好ましい。さらに、図３のように、ダストフラップ４３及びダストフラップ５３の形状が左右対称で、かつ、ダストフラップ３７が上面部２７で左右に区分けされる形状も左右対称とするのが、より好ましい
【００１９】
このようにすることで、包装紙を使用しなくても、ふくさ、風呂敷、又は封筒を彷彿するような形状で、手作り感、和風の丁寧感がり、包装紙を使っているように大切に包装されているというイメ―ジを醸し出すことができるのである。
【００２０】
また、ダストフラップ３７、ダストフラップ４３及びダストフラップ５３を内側に折り、ダストフラップ４３及びダストフラップ５３の１部へ接着剤を塗布し、上面部２７と接着させれば、外側に包装紙がなくても隙間なく内容物を保護できる。また、該接着は化粧函の材料を破壊しないと開封できないので、一度開封し異物混入などの操作をしてから、再度封しても容易に判別できるので、改竄防止機能も発現させることができる。
【００２１】
さらに、図４に示すように、フラップ２３Ａ、２３Ｂ、３３Ａ及び３３Ｂへ接着剤を塗布する際に、該接着剤をそれぞれのつまみ方向へ長く塗布しておき、該接着剤と側壁部４１又は側壁部５１へ接着させて函状としておく。開封して内容物を取り出した後に、廃棄やリサクルするには、つまみ片を引くと接着剤の幅が狭いので、容易に紙基材を破壊しながら又は剥離しながら、分解してブランク状に戻すことができるので容易に潰せ、潰せれば畳み易く、著しく減容化することができる。
【００２２】
本発明の化粧函の形状を見ただけで、どう開封するか、どう潰すか、どう畳むか、が容易に判り、所謂ユニバーサルデザイン的な配慮を生活者にアピールすることもできる。
さらに、包装紙が不要なワンパーツの材料で、省資源であり、また、容易にリサイクルできるので、環境への付加も低く、環境対応型である。
【００２３】
さらにまた、当業者がラップラウンドカートナ製函機と呼ぶ自動機で、接着剤の塗布、函の組み立て、内容物の充填、封緘の全作業を自動化することもできる。この場合、押え片２９の自由面側を自動機械でのひっかからないようにＲ曲面とすることが好ましい。包装の自動化によって、極めて手間隙の掛かる包装及び封緘作業を、効率よくすることができる。
【図面の簡単な説明】
【００２４】
【図１】本発明の１実施例による化粧函の展開図である。
【図２】上記実施例の化粧函の組み立てを説明するための斜視図である。
【図３】上記実施例の化粧函の組み立て完成状態を示す斜視図である。
【図４】上記実施例の化粧函のフラップと糊位置を示す平面図である。
【符号の説明】
【００２５】
１０：化粧函
１１：底部
２７：上面部
２９：押え片
２１、３１、４１、５１：側壁部
２３Ａ、２３Ｂ、３３Ａ、３３Ｂ：フラップ
２５Ａ、２５Ｂ３５Ａ、３５Ｂ：つまみ
３７、４３、５３：ダストフラップ
６０：ラベル
【図１】
0004815929.tif 000002
【図２】
0004815929.tif 000003
【図３】
0004815929.tif 000004
【図４】
0004815929.tif 000005